(57)【特許請求の範囲】
【請求項１】
少なくとも垂直に２段になっており各段に電子デバイスを少なくとも１つ備え、各電子デバイスが冷却液によって浸漬冷却されるように構成されている電子デバイスのアレイと、
冷却液を前記電子デバイスに供給する流体供給装置であって、
前記流体供給装置は、前記アレイ内で電子デバイスのポジションが最も好ましくない場合に必要な分よりわずかに高いレベルで前記冷却液の圧力および液流を発生させ、またアレイ内の各電子デバイスに実質的に均一な冷却液圧力および液流の供給を実現するように構成され、
前記電子デバイスのアレイが、少なくとも垂直２段のラック上に設置され、各垂直ラックの段が前記電子デバイスを少なくとも１つ備え、
前記流体供給装置が各垂直段のラックにさらに冷却液供給マニホールドおよび冷却液帰還マニホールドを備え、冷却液供給マニホールドおよび冷却液帰還マニホールドがそれぞれ、前記複数の電子デバイス、各垂直段のラックの前記供給マニホールドと前記帰還マニホールドを流体接続するバイパスライン、ならびに前記バイパスラインを介して圧力および／または液流を局地的に制御する圧力および／または液流制御デバイスに接続されるように構成されている、装置。
【請求項２】
前記流体供給装置がさらに垂直供給マニホールドおよび垂直帰還マニホールドを備え、前記垂直供給マニホールドおよび前記垂直帰還マニホールドが前記少なくとも垂直２段のラックにそれぞれ送液する(service)、請求項１に記載の装置。
【請求項３】
各垂直段のラックの前記冷却液供給マニホールドおよび前記冷却液帰還マニホールドが水平に配置され、水平に配置されている流体供給ラインが前記冷却液供給マニホールドおよび前記冷却液帰還マニホールドに流体接続されており、水平に配置された流体供給ラインが前記冷却液供給マニホールドおよび前記冷却液帰還マニホールドと同一平面上にあり互いに平行である、請求項１に記載の装置。
【請求項４】
前記電子デバイスが、サーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学および無線通信デバイス、セルプロセッサデバイス、プリンタ、または電源を構成する(comprise)、請求項１に記載の装置。
【請求項５】
冷却液への浸漬を利用して電子デバイスのアレイを冷却する方法であり、前記電子デバイスのアレイが少なくとも垂直２段に配置され、各垂直段が前記電子デバイスを少なくとも１つ備える方法であって、前記方法において、
冷却液を各垂直段の前記電子デバイスに供給する流体供給装置を設け、
前記流体供給装置を、前記アレイ内で電子デバイスのポジションが最も好ましくない場合に必要な分よりわずかに高いレベルで前記冷却液の圧力および液流を発生させ、またアレイ内の電子デバイスそれぞれへの実質的に均一な冷却液圧力および液流の供給を実現するように構成し、
前記電子デバイスのアレイが少なくとも垂直２段になっているラック上に設置され、垂直段のラックが前記電子デバイスをそれぞれ少なくとも１つ備える方法であり、さらに、
各垂直段のラックにさらに冷却液供給マニホールドおよび冷却液帰還マニホールドを有し、冷却液供給マニホールドおよび冷却液帰還マニホールドがそれぞれ、複数の前記電子デバイス、各垂直段のラックの前記供給マニホールドと前記帰還マニホールドを流体接続するバイパスライン、ならびに前記バイパスラインを介して圧力および／または液流を局地的に制御する圧力および／または液流制御デバイスに接続されるように前記流体供給装置を構成する、方法。
【請求項６】
さらに、垂直供給マニホールドおよび垂直帰還マニホールドを含むように前記流体供給装置を構成し、前記垂直供給マニホールドおよび前記垂直帰還マニホールドが前記少なくとも垂直２段のラックにそれぞれ送液する、請求項５に記載の方法。
【請求項７】
さらに、各垂直段のラックの前記冷却液供給マニホールドおよび冷却液帰還マニホールドが水平に配置され、水平に配置されている流体供給ラインが前記冷却液供給マニホールドおよび前記冷却液帰還マニホールドに流体接続され、水平に配置された前記流体供給ラインが前記冷却液供給マニホールドおよび前記冷却液帰還マニホールドと同一平面上にあり互いに平行であるように構成される、請求項５に記載の方法。
【請求項８】
前記電子デバイスがサーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学および無線通信デバイス、セルプロセッサデバイス、プリンタ、または電源を構成する、請求項５に記載の方法。
【請求項９】
別々の垂直段のラックに設置された複数の浸漬冷却型電子デバイスに冷却液を供給するよう構成された流体供給装置であり、
各垂直段のラックの冷却液供給マニホールドおよび冷却液帰還マニホールドであり、各垂直段の前記電子デバイスの少なくとも１つに接続されるよう構成されている各冷却液供給マニホールドおよび冷却液帰還マニホールドと、
各垂直段で前記冷却液供給マニホールドおよび前記冷却液帰還マニホールドを流体接続しているバイパスラインと、
前記バイパスラインを介して圧力および／または液流を局地的に調整する圧力および／または液流調整デバイスとを備えた流体供給装置。
【請求項１０】
流体供給装置が垂直供給マニホールドおよび垂直帰還マニホールドをさらに備え、前記垂直供給マニホールドおよび前記垂直帰還マニホールドが同じ垂直段のラックにそれぞれ送液する、請求項９に記載の流体供給装置。
【請求項１１】
各垂直段の前記冷却液供給マニホールドおよび前記冷却液帰還マニホールドが水平に配置され、
水平に配置された流体供給ラインが前記冷却液供給マニホールドおよび前記冷却液帰還マニホールドに流体接続され、
前記水平に配置された流体供給ラインが前記冷却液供給マニホールドおよび前記冷却液帰還マニホールドと同一平面上にあり互いに平行である、請求項９に記載の流体供給装置。
【請求項１２】
前記電子デバイスが、サーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学および無線通信デバイス、セルプロセッサデバイス、プリンタ、または電源を構成する、請求項９に記載の流体供給装置。
【請求項１３】
シェルフに横方向に並置された複数の電子デバイスであって、前記各電子デバイスは、液体注入ポートと液体排出ポートとを備えた液密ケースと前記液密ケースの中に発熱電子素子とを備え、冷却液によって浸漬冷却されるように構成されている電子デバイスと、
前記各液密ケースの前記液体注入ポートに流体接続された冷却液供給マニホールドと、
前記各液密ケースの前記液体排出ポートに流体接続された冷却液帰還マニホールドと、
前記冷却液供給マニホールドと前記冷却液帰還マニホールドを流体接続するバイパスラインと、
前記バイパスラインに設けられ、前記バイパスラインを介して圧力を制御する圧力制御デバイスと、を備えた装置であって、
前記各電子デバイスにおける前記冷却液の液圧は実質的に同じであることを特徴とする装置。
【発明の詳細な説明】
【技術分野】
【０００１】
本開示は、例えばリキッドサブマージドサーバ（ＬＳＳ:liquid submerged server）コンピュータ、ブレードサーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学および無線通信デバイス、セルプロセッサデバイス、プリンタ、電源といった電子アレイ装置の浸漬冷却に関する。
【背景技術】
【０００２】
浸漬冷却型電子デバイスのアレイを配置(deploy)する際、前記アレイのデバイスと流体用の冷却ポンプとの間を相互接続する流体分配装置が必要である。浸漬冷却型電子デバイスのアレイの一例が、ラック装置に配置されたリキッドサブマージドサーバ（ＬＳＳ）のアレイである。ラック装置のＬＳＳのアレイの一例が、米国特許第７，９０５，１０６号、第７，９１１，７９３号、および第８，０８９，７６４号に開示されている。
【発明の概要】
【発明が解決しようとする課題】
【０００３】
アレイの浸漬冷却型電子デバイスを最大限に機能させるためには、液状冷却剤を特定の範囲内の流量および圧力でデバイスに供給しなければならない。ラック中のデバイスの配置および流体分配装置の設計それ自体が原因で、冷却剤を必要な流量および圧力で供給することが困難になっている。これは、ラックでの高さ(elevation)による圧力損失（静水頭）および、デバイスのアレイ内での位置／デバイス毎の流体の流路に沿った摩擦損失による漸増的な圧力降下等の変動要因による。
【課題を解決するための手段】
【０００４】
流体供給装置の構成は、ラックに設置された浸漬冷却型電子デバイスのアレイと共に使用するものとして記載されている。このような流体供給装置によって、ポンピング装置が、アレイ内でのデバイス／ポジションが最も好ましくない（すなわち、アレイ内のこれらのデバイスが最も高い位置にある、および／または、ポンプから離れて設けられているために圧力降下と液流の減少が最も大きい）場合に必要な分よりもわずかに高いレベルで冷却装置流体の圧力および液流を発生させ、また、アレイ内のデバイス一つ一つへの均一な圧力と冷却剤の液流の供給を実現する。冷却液の液流および圧力を管理することにより、アレイのデバイスの適正な冷却が容易に実現し、アレイで浸漬冷却されているデバイスの損傷を防止する上で有用である。
【０００５】
流体供給装置の具体的な適用例として、ラック装置に配置されたＬＳＳのアレイと共に使用することが挙げられる。しかしながら、ここに記載された流体供給装置のコンセプトは、電子デバイスのアレイが浸漬冷却型である他の用途にも充てることが可能であり、その例としては、ブレードサーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学および無線通信デバイス、セルプロセッサデバイス、プリンタ、電源等が挙げられるが、これらに限定されない。
【０００６】
上述の通り、アレイ中の各電子デバイスには、アレイ中のどこに位置していても概ね同じ圧力が印加されていると考えられる。その上、ポンプ速度が変化しても流体圧力は概ね一定なのが好ましい。例えば、ポンプ速度が低いまたは最低速度である場合、一般的には第１の流体圧力が各電子デバイスに供給される。ポンプ速度が高いまたは最高速度である場合、第２の流体圧力も各電子デバイスに印加される。第１および第２の流体圧力の差は相対的に最小限度であり、あるいは実施態様によっては、互いに同値であってもよい。
【０００７】
流体供給装置は、均一な圧力の供給が実現可能であれば、どのような構成であってもよい。前記流体供給装置はポンプ、フィルタ、熱交換器、流体マニホールド、流体通路等のエレメントを含むことができる。流体供給装置において流体が通過するエレメントはそれぞれ、供給圧力に影響を及ぼす液流の制限を引き起こす。ここに記載された流体供給装置は、自身の様々なエレメントにより生じる様々な液流の制限の結果、電子デバイスの内部ゲージ圧力が調整され、ポンプ速度の変化に対応する圧力変化の範囲が狭くなるように設計される。これにより、密封筐体である電子デバイスの筐体が保護され、筐体の「圧力容器」設計の簡素化が可能になる。
【０００８】
一実施態様では、１つの装置が電子デバイスのアレイを１つ備え、そのアレイは少なくとも垂直２段になっており、各垂直段に、冷却液により浸漬冷却を行うよう構成された電子デバイスが少なくとも２つ含まれる。さらに、流体供給装置は、それらの電子デバイスに冷却液を供給する。流体供給装置は、アレイ内でのデバイスポジションが最も好ましくない場合に必要な分よりもわずかに高いレベルで冷却装置液の圧力および液流を発生させ、また、アレイ内のデバイス一つ一つに対し実質的に均一な冷却液圧力の供給を実現するように構成されている。
【０００９】
別の実施態様では、冷却液への浸漬を利用して電子デバイスのアレイを冷却する方法が提示されている。電子デバイスのアレイは、少なくとも垂直２段に配置され、各垂直段が電子デバイスを少なくとも２つ備える。この方法においては、冷却液を各垂直段の電子デバイスに供給する流体供給装置を設け、前記アレイ内で電子デバイスのポジションが最も好ましくない場合に必要な分よりわずかに高いレベルで前記冷却液の圧力および液流を発生させ、またアレイ内の電子デバイスそれぞれに実質的に均一な冷却液圧力および液流の供給を実現するように、流体供給装置を構成する。
【００１０】
別の実施態様では、ラックの別々の垂直段に設置された複数の浸漬冷却型電子デバイスに冷却液を供給するよう構成された流体供給装置が設けられる。このような流体供給装置は、ラックの各垂直段に冷却液供給マニホールドおよび冷却液帰還マニホールドを備えていてもよく、その場合に冷却液供給マニホールドおよび冷却液帰還マニホールドは、それぞれの垂直段の複数の電子デバイスに各自接続されるように構成されている。また同装置は、各垂直段で冷却液供給マニホールドと冷却液帰還マニホールドとを流体接続するバイパスライン、および、同バイパスラインを介して圧力および／または液流を局地的に調整する圧力および／または液流調整デバイスを備えていてもよい。
【図面の簡単な説明】
【００１１】
【図１】図１は、ここに記載されている流体供給装置に流体接続されたＬＳＳのラック搭載型アレイの正面透視図である。
【図２】図２はＬＳＳのアレイの背面透視図であり、関連するラック構造体は、本図では省略されている。
【図３】図３は、ＬＳＳを取り外した状態の流体供給装置の一部分の正面透視図である。
【図４】図４は、図３の流体供給装置の背面透視図である。
【図５】図５は、流体供給装置の一部分に接続されたＬＳＳの垂直１段の背面透視図である。
【図６】図６は、流体供給装置の冷却剤分配ユニットの透視図であり、ユニットの内部を示すため筐体ケースが取り外されている。
【図７】図７は、図６の冷却剤分配ユニットの正面透視図であり、分かりやすくするためにユニットの支持構造が取り外されている。
【図８】図８は、同冷却剤分配ユニットのポンプの１つと、ポンプ排出口に接続された分配マニホールドを示すものである。
【図９】図９は、アレイに流体接続された冷却剤分配ユニットの概略図である。
【図１０】図１０は、図３の流体供給装置の一部分、および、使用時にそれが図６の冷却剤分配ユニットに対しどのような位置関係にあるかを示す透視図である。
【発明を実施するための形態】
【００１２】
図１および図２に、浸漬冷却型電子デバイス１２のラック搭載型アレイ１０の一例を示す。デバイス１２は、ラック１４上に搭載されており、アレイ１０は少なくとも垂直２段のＡ、Ｂ、…ｎ段となっていて、垂直方向の段毎に、電子デバイス１２が少なくとも１つ含まれる。図示されている例では、垂直段が８段あり、各段にデバイス１２が８個ある。
【００１３】
本実施例ではデバイス１２はＬＳＳであり、以下の説明では、デバイス１２がＬＳＳであるとする。しかしながら、ここに記載のコンセプトを、電子デバイスのアレイが浸漬冷却型である他の用途に用いてもよい。その例としては、ブレードサーバ、ディスクアレイ／記憶装置、ソリッドステートメモリデバイス、記憶領域ネットワーク、ネットワークアタッチトストレージ、記憶通信装置、ルータ、遠隔通信インフラストラクチャ／スイッチ、有線、光学、無線通信デバイス、セルプロセッサデバイス、プリンタ、電源等が挙げられるが、それらに限定されない。
【００１４】
本件で参照用として全文引用されている米国特許第７，９０５，１０６号、第７，９１１，７９３号および第８，０８９，７６４号にさらに記載されているように、各ＬＳＳは封止型の液密ケースを備え、そのケースは、内部空間に設置された単数または複数のロジックボードを含む。そのようなロジックボードは、ＣＰＵまたはＧＰＵといったプロセッサを少なくとも１つ含む発熱電子素子を多数備える。同ケースは液体注入ポートおよび液体排出ポートを備え、そこを通って冷却液が内部空間まで導入されるか、またはそこから排出される。使用時には、ケースの中にＬＳＳの発熱素子を浸漬する冷却液を含有させて、浸漬した素子がケース内部で冷却液と直接接触するようにする。電子素子との熱交換の後、冷却液は液体排出ポートを通して排出され、熱交換器内で冷却され、そのようにして冷却された液が液体注入ポートを通ってケースに戻される。
【００１５】
冷却液は誘電液であってもよいが、これに限定されない。冷却液は単相でも２相でもよい。浸漬された素子により発生した熱量を処理して冷却液の状態が変化しないようにするために、冷却液が十分に高い熱伝導性を有することが好ましい。各ケース中には、浸漬が望ましい発熱素子を浸漬するのに十分な液体が存在する。そのため、幾つかの例では液体をケース１２の略全体に充填していてもよく、また別の例では液体をケース１２に部分的に充填するだけでもよい。
【００１６】
以下にさらに記載するが、流体供給装置２０は、同装置を介して冷却液を供給する目的で用いられる。ラックにおける別々の段がＡ、Ｂ、…ｎの高さ（静水頭）にあり、またアレイ１０内部の各デバイス１２の位置毎の液体の流路に沿った摩擦損失により累積的な圧力降下があるため、必要とされる液流および圧力での液状冷却剤の供給は一層困難になる。流体供給装置２０は、このような難点を補う目的で設計されている。流体供給装置２０は、大気に直接脱気するのではなく気密になっている装置である。
【００１７】
流体供給装置２０は、アレイ内でデバイス１２のポジションが最も好ましくない場合（すなわち、アレイ内のこれらのデバイスが最も高い位置にある、および／または、ポンプから離れすぎているせいで圧力降下と液流の減少が最大になっている）に必要な分よりもわずかに高いレベルで自身のポンピング装置に冷却液の圧力と液流を発生させるよう、また、アレイ１０内のデバイス１２一つ一つに対する均一な圧力および冷却剤流の供給が実現されるように設計されている。
【００１８】
図３〜図５では、複数の独自の特徴により、供給圧力と冷却剤流を均一にすることができる。これらの特徴は、個別に、一緒に、またはいくつかを組み合わせて用いてもよい。
【００１９】
特に、図３〜図５に示すように、垂直段Ａ、Ｂ、…ｎはそれぞれ、均一な供給静圧で各段の多数のデバイス１２を流体接続するように構成された水平供給マニホールド２２を備えていてもよい。図３に示すように、供給マニホールド２２はそれぞれ、使用時にはデバイス１２表面の液体注入ポートに接続されるポート２４を備える。ポート２４およびデバイス表面の液体注入ポートは、デバイス１２が供給マニホールド２２に接続されている時は自動的に開き、デバイス１２が取り外されているときは自動的に閉じるクイックコネクトバルブをそれぞれ有していてもよい。
【００２０】
各垂直段Ａ、Ｂ、…ｎは、また、均一な帰還静圧で各段の多数のデバイス１２を流体接続するよう構成されている水平帰還マニホールド２６を備えていてもよい。図３に示すように、帰還マニホールド２６はそれぞれ、使用時にはデバイス１２の液体排出ポートに接続される複数のポート２８を備える。ポート２８およびデバイス表面の液体排出ポートは、デバイス１２が帰還マニホールド２６に接続されている時は自動的に開き、デバイス１２が取り外されているときは自動的に閉じるクイックコネクトバルブをそれぞれ有していてもよい。
【００２１】
さらに、図４に示すように、流体供給装置２０は、静供給圧力の異なるアレイの多数段のデバイス１２を接続する垂直供給マニホールド３０を備えていてもよい。垂直供給マニホールド３０はどのような段数でも（例えば、２、３、４段等）接続することが可能であり、その場合、マニホールドによって接続される段の数は、冷却されるデバイス１２のタイプ、またデバイス１２の様々な液流の条件や電力密度冷却の必要性といった要因によって決まるが、それに限定されない。詳細は以下に述べるが、各段に供給される流体圧力は、その上側の冷却液の静水頭／柱によりわずかに変化するものである。しかしながら、バイパスラインに設置された圧力解放／バイパスバルブが、各段での圧力を互いに同じ正味圧力になるよう調整する。
【００２２】
複数の供給ライン３２は、垂直マニホールド３０から水平供給マニホールド２２まで液体を供給する。供給ライン３２は、マニホールド２２の側面のどこにでも接続できる。図示されている例は、同じ側面の中央部からずれた箇所でマニホールド２２に接続されている供給ライン３２を示すものである。しかしながら、実施態様によっては、各マニホールド２２の別々の側面で接続する、あるいは、各マニホールド２２の側面上の中央部に接続するほうがよい場合もある。
【００２３】
流体供給装置２０はさらに、静帰還圧の異なるアレイのデバイス１２の複数のシェルフを接続する垂直帰還マニホールド３４を備えていてもよい。図示された例では、垂直供給マニホールド３０によって送液(service)されているデバイスのシェルフは、垂直帰還マニホールド３４によって送液されているデバイスのシェルフと一致する。複数の供給ライン３６が水平帰還マニホールド２６から垂直帰還マニホールド３４に液体を供給する。供給ライン３６は、マニホールド２６の側面のどこにでも接続することができる。図示された例には、同じ側面の中央部からずれた箇所でマニホールド２６に接続されている供給ライン３６を示す。しかしながら、実施態様によっては、各マニホールド２６を別々の側面で接続する、あるいは、各マニホールド２６の側面上の中央部に接続するほうがよい場合もある。
【００２４】
一実施態様では、垂直供給マニホールド３０、垂直帰還マニホールド３４、またはその両方にリバースリターン構造を用いることも可能である。例えば、冷却流体を垂直供給マニホールド３０の上部に投入し、垂直帰還マニホールドの底部から冷却流体を帰還させることもできる。そのようなリバースリターン構造は、装置内部の圧力降下を最小限に抑制する上で有効である。さらに、様々な供給ラインと帰還ラインの寸法を互いに対応させることにより、圧力降下をさらに抑制することが可能である。
【００２５】
図４および図５にもっともよく示されているように、供給ライン３２と供給ライン３６は、マニホールド２２、２６と同一の水平面上に配置されており、互いに平行である。このため、水平供給マニホールド２２と水平帰還マニホールド２６のグループ間で平行な流路が形成され、静圧のバランスをとるのに役立つ。さらに、これによって垂直マニホールド３０、３４のセット間で平行な流路が形成され、静圧のバランスをとるのに役立つ。さらに、ライン３２、３６を水平面に配置することにより、流体分配装置に接続された電子デバイスの背面パネルへの接近(access)がライン３２、３６により邪魔される恐れを最小限にすることができる。
【００２６】
機能面からいえば、意図した通りの液状冷却剤流を実現する上で必要というわけではないが、実用的な観点からは、多数の電子デバイスの背面パネルへの接近を可能にすることは重要である。そうすることにより、デバイスポートが存在する場合に、電力ケーブル、入出力ケーブル等がデバイスポートに接続できるようになる。
【００２７】
流体供給装置２０はまた、図５に示すように、アレイ内の各「シェルフ」または「高さ」で供給マニホールド２２と帰還マニホールド２６とを直接的に流体相互接続する圧力解放液バイパスライン４０を備えていてもよい。前記バイパスライン４０は、マニホールド２２、２６のいずれの面にでも接続可能である。
【００２８】
各バイパスライン４０は、バイパスライン４０を介して適正な圧力閾値および流動性を確立するのに役立つ圧力および／または液流調整デバイス４１を備える。一実施態様では、調整デバイス４１は、ライン４０が供給マニホールド２２に接続されるポイントに位置している。しかしながら別の実施態様では、ラインが帰還マニホールド２６に接続されているポイントに調整デバイス４１が位置していてもよく、または、ライン４０の長さ方向に沿ったいずれのポイントに位置していてもよい。調整デバイスの例としては、無励磁動作型バルブ(spring actuated valves)およびセンサーベース動作型調整デバイスが挙げられるが、それらに限定されない。一実施態様では、調整デバイス４１の圧力および／または液流調整特性の調節を行うことを目的として、同デバイス４１を手動および／または自動で調節することも可能である。
【００２９】
調整デバイス４１は、アレイ内部の段または「高さ」が共通するアレイ１０内のデバイス１２に供給されている最中の液体の圧力および／または液流を局地的に調整する。圧力閾値と流動性を調整することが望ましい理由は、デバイス１２が１つだけ特定の段に接続されているときに、過圧または圧力不足の状態を引き起こすことなく、供給された液流を調整できるのに十分な流体の液流とそれに付随する圧力解放がその段のデバイス１２により可能なようにしておく必要があるからである。過圧または圧力不足の状態になると、圧力および最小／最大流動の両方について設計点を下回るその１つのデバイスの筐体が破壊される恐れがある。
【００３０】
例えば、図示されている例では、シェルフ１個につき８個のＬＳＳが示されており、各ＬＳＳが約０．５ガロン／分の冷却剤の液流を必要とし、ＬＳＳハウジング毎に約３ｐｓｉゲージ（ｐｓｉｇ）以下の圧力になることを目標とする工学的設計点を持つとすると、調整デバイス４１とライン４０は、本来は同じ段の他の７つのＬＳＳデバイスに送液されているはずの液流を補うために、流入する冷却液を帰還水平マニホールド２６まで十分に方向転換(divert)できるものでなければならない。換言すれば、エレメント４０、４１によって形成されたバイパス回路は、それぞれの高さのデバイス１２の段に向けられた最大冷却剤流の７／８までを方向転換し、また、その段の１つのデバイスへの注入口での残留流が３ｐｓｉｇ以下になるよう調整する能力を持つものでなければならない。しかしながら、調整装置４１およびライン４０は、予想を極端に超える液流の方向転換をしてはならない。さもなければ、適切な液流を供給するという装置全体の能力、および、同一の垂直マニホールド３４を共用しながらもラック内部のより高い位置にある他の段に対する圧力特性が低下するであろう。
【００３１】
先の段落で述べたようなデバイス１２のタイプ、各段でのデバイス１２の具体的な数、流量および圧力が一例に過ぎないことは理解されなければならない。具体的な限定は、デバイス１２の相違、デバイス１２の数、および流体供給装置に接続されたデバイスハウジングの構造によって変動する。なぜなら、各デバイスが固有の電力密度および冷却条件を持ち、そのような電力密度や冷却条件が流体流の条件に影響を及ぼし、また各デバイスハウジングの設計は各自固有の最大圧力限界能および内部流圧力降下を有することが予測されるからである。
【００３２】
図６〜１０についていえば、流体供給装置２０の一部が、図１０に示すようなラック１４のベースに搭載可能な冷却剤分配ユニット（ＣＤＵ:coolant distribution unit）５０を備えていてもよい。ＣＤＵ５０は、１対のポンプ５２ａ、５２ｂ、冷却液をろ過するためのろ過ユニット５４、フィルタ分配マニホールド５６、垂直帰還マニホールド３４に接続された帰還マニホールド５８、垂直供給マニホールド３０に接続された供給マニホールド６０、熱交換器注入口マニホールド６２、および１対の熱交換器ユニット６４ａ、６４ｂを備える。図１０に示されるように、水等の流体を独立型熱交換回路から導出してＣＤＵの熱交換ユニット６４ａ、６４ｂを流れる冷却流体と熱を交換するための温冷流ライン６６を備えた独立型流体回路が、ＣＤＵから延びている。
【００３３】
使用時には、垂直帰還マニホールドから帰還する暖められた冷却剤が、マニホールド５８、それからポンプ５２ａ、５２ｂの注入口に流入する。ポンプの排出口はポンプ分配マニホールド６８ａ、６８ｂに接続され、それによって冷却剤はその後、分配マニホールド５６に流入する。冷却剤は分配マニホールド５６から、冷却剤をろ過するためのろ過ユニット５４、その後に熱交換器マニホールド６２に流入する。あるいは、例えばユニット５４のフィルタを交換する時に、ろ過ユニット５４を通過する液流を、適当なバルブを用いて遮断することもできる。液流はその後、熱交換器マニホールド６２に接続されたバイパスライン７０を介して誘導される。
【００３４】
熱交換器マニホールド６２から、冷却剤が各熱交換器ユニット６４ａ、６４ｂに流入することによって冷却剤が冷却される。そのようにして冷却された冷却剤はその後、各熱交換器ユニットから供給マニホールド６０に流入し、垂直供給マニホールド３０に供給される。
【００３５】
ＣＤＵの素子は、流体供給装置２０の他の部分に印加される圧力の調整が可能な方法で流路に配置されている。このため、流体供給装置２０の残りの部分の静圧、ひいてはＬＳＳデバイス１２の静圧を最小限にすることが容易になる。
【００３６】
さらに、ＣＤＵがあるおかげで、ポンプおよび／または熱交換器のいずれか１つを、残りのポンプおよび熱交換器を使って冷却剤をアレイに供給している最中に交換することが可能となる。
【００３７】
バイパス回路４０、４１を備える流体供給装置２０によって解決される問題の１つは、流体供給装置２０の初期流体供給(initial fluid provisioning)に関する。最初にＣＤＵ５０および流体供給装置２０の残りの部分を装着するとき、デバイス１２が１つも装着されていなければ、流体供給装置の注入路と排出路との間に流路が存在しない。これはポンプ５２にとって問題となる。なぜなら、注入口システムと排出口システムが独立している（すなわち、互いに流体接続していない）ため、液流を生じさせるための経路が存在しないのである。１つまたは複数のデバイス１２が装着されている時のみ、注入口と排出口との間に流体接続が形成される。最初のデバイス１２を装着するとき、装置内で液流の供給の管理がなされないでいると、ＣＤＵ５０はポンプからの全液流を無理にでもその１つのデバイスに通過させようとするであろう。この結果、圧力が極端に上昇しそのたった１つのデバイスに供給されている液流がデバイス１２を損傷、および／または、デバイス１２からの流体の漏れを引き起こす恐れがある。
【００３８】
封止型流体供給装置２０は、ポンプ、フィルタ、熱交換器、デバイス１２、マニホールド等のデバイスにより様々な液流の制限が生じ、その結果として、デバイス１２の内部ゲージ圧力が制御され、ポンプ速度の変化に対する圧力変化の範囲が狭くなるように設計されている。これにより、電子デバイス１２の筐体が保護され、筐体の「圧力容器」設計を単純化することが可能になる。この概念を理解しやすくするために、以下に例を挙げる。これは一例にすぎず、本発明の限定を意図するものではない。
【００３９】
実施例（近似値）
ポンプが最低速度のとき
・注入ポンプ圧力：０ｐｓｉ
・排出ポンプ圧力：２．５ｐｓｉ
・デバイス１２内部圧力：１ｐｓｉ
ポンプ速度を最大まで上げる：
・注入ポンプ圧力：−３ｐｓｉ
・排出ポンプ圧力：２０ｐｓｉ
・デバイス１２内部圧力：１．５ｐｓｉ
操作温度が一定の場合の各デバイス１２に印加される圧力範囲：
・１〜１．５ｐｓｉ（高さによりわずかに変動し、その範囲は、ラックの位置毎のバイパス回路に対する圧力および／または液流を設定することで微調整可能である）。
【００４０】
冷却剤分配ユニット（ＣＤＵ）５０の使用については上に述べた通りであるが、それ以外のポンピング機構を用いることも可能である。例えば、アレイのデバイスに冷却剤をポンプで送出するために、分配型ネットワークのポンプを用いることができる。
【００４１】
ここに記載された装置２０によって、装置の一部分を「亜大気圧(sub-ambient)」レベルで操作することができる。一実施態様では、装置中で用いられているホースを、対象となる圧力レベルで「非圧壊性(non-collapsible)」にすることができる。
【００４２】
上記のような冷却剤流と望ましい圧力調整が容易に実現できるように、アレイ１０のデバイス１２を、流動性に対して略同等のインピーダンス／圧力降下を持つように設計することができる。
【００４３】
また、ここに記載されている装置は、装置内に「ゾーン」を設け、それらのゾーン内で全部のデバイス１２に均一な冷却剤流を異なるレベルで供給可能とすることができる。さらに、圧力バイパス機構により、「デルタＰ」をアレイ１０内で局地的かつ異なる高さで調整しやすくなる。
【００４４】
別の実施態様では、膨張室を用いることもできて、その場合、調整気室加圧／吸引を実施してもしなくてもよい。
【００４５】
記載されている概念を、その精神または新規な特性を逸脱することなく他の形態で実施してもよい。本願で開示されている例は、全ての点において限定ではなく解説を目的とするものと考えられなければならない。
【図１】
0006293152.tif 000002
【図２】
0006293152.tif 000003
【図３】
0006293152.tif 000004
【図４】
0006293152.tif 000005
【図５】
0006293152.tif 000006
【図６】
0006293152.tif 000007
【図７】
0006293152.tif 000008
【図８】
0006293152.tif 000009
【図９】
0006293152.tif 000010
【図１０】
0006293152.tif 000011